(57)【要約】      （修正有）【課題】袋体内に収納した工具の落下を防止できる工具袋を提供する。【解決手段】工具袋は、袋体１、第１及び第２ベルト体２、３、筒板体及び第１乃至第４固定部材５、７を備える。袋体１は、袋本体１１、及び袋底を有する。第１及び第２ベルト体２、３は、袋本体１１の外周面１１Ｃに配置されて、各第１ベルト部１５、各第２ベルト部２１を袋本体１１に固定する。筒板体は、筒状板、及び底板を有し、底板を袋底に載置して、袋本体１１の内部の収納空間Ｒに配置される。第１及び第２固定部材５は、各第１ベルト部１５、及び各第１ベルト部１５に当接する袋本体１１の部分を収納空間Ｒ内の筒状板に固定し、第３及び第４固定部材７は、各第２ベルト部２１、及び各第２ベルト部２１に当接する袋本体１１の部分を収納空間Ｒ内の筒状板に固定する。【選択図】図１
0003234165.tif 000002
【実用新案登録請求の範囲】
【請求項１】
筒状の袋本体、及び前記袋本体の一方の袋開口を閉塞する袋底を有し、前記袋本体の内部に収納空間を形成する袋体と、
帯状に形成され、前記袋本体の外周面に配置される第１ベルト体と、
帯状に形成され、前記第１ベルト体に対し前記袋本体の周方向にベルト間隔を隔てて前記袋本体の外周面に配置される第２ベルト体と、
筒状板、及び前記筒状板の一方の板開口を閉塞する底板を有する筒板体と、
第１乃至第４固定部材と、を備え、
前記第１ベルト体は、
一方の第１ベルト端を前記袋本体の他方の袋開口より前記袋底側に配置して、前記他方の袋開口まで延在され、及び前記袋本体の外周面に当接して前記袋本体に固定される一方の第１ベルト端側の第１ベルト部と、
他方の第１ベルト端を一方の第１ベルト端に対し前記袋本体の周方向にベルト端間隔を隔てて前記他方の袋開口より前記袋底側に配置して、前記他方の袋開口まで延在され、及び前記袋本体の外周面に当接して前記袋本体に固定される他方の第１ベルト端側の第１ベルト部と、
前記他方の袋開口の上方に配置されて、一方の第１ベルト端側の第１ベルト部及び他方の第１ベルト端側の第１ベルト部との間に掛け渡される第１中間ベルト部と、を有し、
前記第２ベルト体は、
一方の第２ベルト端を前記他方の袋開口より前記袋底側に配置して、前記他方の袋開口まで延在され、及び前記袋本体の外周面に当接して前記袋本体に固定される一方の第２ベルト端側の第２ベルト部と、
他方の第２ベルト端を一方の第２ベルト端に対し前記袋本体の周方向にベルト端間隔を隔てて前記他方の袋開口より前記袋底側に配置して、前記他方の袋開口まで延在され、及び前記袋本体の外周面に当接して前記袋本体に固定される他方の第２ベルト端側の第２ベルト部と、
前記他方の袋開口の上方に配置されて、一方の第２ベルト端側の第２ベルト部及び他方の第２ベルト端側の第２ベルト部との間に掛け渡される第２中間ベルト部と、を有し、
前記筒板体は、
前記筒状板の他方の板開口を前記袋本体の他方の袋開口側に向けて前記収納空間に挿入され、前記底板を前記袋底に載置し、及び前記筒状板の外周側面を各第１ベルト部及び各第２ベルト部に対峙して前記収納空間に配置され、
前記第１固定部材は、
一方の第１ベルト端側の第１ベルト部、及び一方の第１ベルト端側の第１ベルト部に当接する前記袋本体の部分を、前記収納空間に配置した前記筒状板に固定し、
前記第２固定部材は、
他方の第１ベルト端側の第１ベルト部、及び他方の第１ベルト端側の第１ベルト部に当接する前記袋本体の部分を、前記収納空間に設置した前記筒状板に固定し、
前記第３固定部材は、
一方の第２ベルト端側の第２ベルト部、及び一方の第２ベルト端側の第２ベルト部に当接する前記袋本体の部分を、前記収納空間に配置した前記筒状板に固定し、
前記第４固定部材は、
他方の第２ベルト端側の前記第２ベルト部、及び他方の第２ベルト端側の第２ベルト部に当接する前記袋本体の部分を、前記収納空間に配置した前記筒状板に固定する
ことを特徴とする工具袋。
【考案の詳細な説明】
【技術分野】
【０００１】
本考案は、高所における作業に使用する工具袋に関する。
【背景技術】
【０００２】
工具袋の技術として、特許文献１は、工具袋本体、及び吊りロープを備える工具袋を開示する。工具袋本体は、円筒状の側壁、及び側壁の一方の開口部を閉塞する底部を有する。吊りロープは、側壁の他方の開口部側に配置されて、側壁に取り付けられる。工具は、工具袋本体内に収納される。
【先行技術文献】
【特許文献】
【０００３】
【特許文献１】特開２０１２−７６１８２号公報
【考案の概要】
【考案が解決しようとする課題】
【０００４】
特許文献１では、工具袋本体の底部が損傷して、底部に穴が開き又は底部が側壁から分解すると、工具袋本体に収納した工具が落下する虞がある。
【０００５】
本考案は、袋体の袋底が損傷しても、袋体内に収納した工具の落下を防止できる工具袋を提供することにある。
【課題を解決するための手段】
【０００６】
本考案に係る請求項１は、筒状の袋本体、及び前記袋本体の一方の袋開口を閉塞する袋底を有し、前記袋本体の内部に収納空間を形成する袋体と、帯状に形成され、前記袋本体の外周面に配置される第１ベルト体と、帯状に形成され、前記第１ベルト体に対し前記袋本体の周方向にベルト間隔を隔てて前記袋本体の外周面に配置される第２ベルト体と、筒状板、及び前記筒状板の一方の板開口を閉塞する底板を有する筒板体と、第１乃至第４固定部材と、を備え、前記第１ベルト体は、一方の第１ベルト端を前記袋本体の他方の袋開口より前記袋底側に配置して、前記他方の袋開口まで延在され、及び前記袋本体の外周面に当接して前記袋本体に固定される一方の第１ベルト端側の第１ベルト部と、他方の第１ベルト端を一方の第１ベルト端に対し前記袋本体の周方向にベルト端間隔を隔てて前記他方の袋開口より前記袋底側に配置して、前記他方の袋開口まで延在され、及び前記袋本体の外周面に当接して前記袋本体に固定される他方の第１ベルト端側の第１ベルト部と、前記他方の袋開口の上方に配置されて、一方の第１ベルト端側の第１ベルト部及び他方の第１ベルト端側の第１ベルト部との間に掛け渡される第１中間ベルト部と、を有し、前記第２ベルト体は、一方の第２ベルト端を前記他方の袋開口より前記袋底側に配置して、前記他方の袋開口まで延在され、及び前記袋本体の外周面に当接して前記袋本体に固定される一方の第２ベルト端側の第２ベルト部と、他方の第２ベルト端を一方の第２ベルト端に対し前記袋本体の周方向にベルト端間隔を隔てて前記他方の袋開口より前記袋底側に配置して、前記他方の袋開口まで延在され、及び前記袋本体の外周面に当接して前記袋本体に固定される他方の第２ベルト端側の第２ベルト部と、前記他方の袋開口の上方に配置されて、一方の第２ベルト端側の第２ベルト部及び他方の第２ベルト端側の第２ベルト部との間に掛け渡される第２中間ベルト部と、を有し、前記筒板体は、前記筒状板の他方の板開口を前記袋本体の他方の袋開口側に向けて前記収納空間に挿入され、前記底板を前記袋底に載置し、及び前記筒状板の外周側面を各第１ベルト部及び各第２ベルト部に対峙して前記収納空間に配置され、前記第１固定部材は、一方の第１ベルト端側の第１ベルト部、及び一方の第１ベルト端側の第１ベルト部に当接する前記袋本体の部分を、前記収納空間に配置した前記筒状板に固定し、前記第２固定部材は、他方の第１ベルト端側の第１ベルト部、及び他方の第１ベルト端側の第１ベルト部に当接する前記袋本体の部分を、前記収納空間に設置した前記筒状板に固定し、前記第３固定部材は、一方の第２ベルト端側の第２ベルト部、及び一方の第２ベルト端側の第２ベルト部に当接する前記袋本体の部分を、前記収納空間に配置した前記筒状板に固定し、前記第４固定部材は、他方の第２ベルト端側の前記第２ベルト部、及び他方の第２ベルト端側の第２ベルト部に当接する前記袋本体の部分を、前記収納空間に配置した前記筒状板に固定することを特徴とする工具袋である。
【０００７】
本考案に係る請求項１では、第１ベルト体の各第１ベルト端側の各第１ベルト部、及び第２ベルト体の各第２ベルト端側の各第２ベルト部を袋本体に固定する。第１ベルト本体の各第１ベルト端側の各第１ベルト部、及び各第１ベルト部に当接する袋本体の部分を、第１及び第２固定部材によって、収納空間に配置した筒板体の筒状板に固定し、第２ベルト体の各第２ベルト端側の各第２ベルト部、及び各第２ベルト部に当接する袋本体の部分を、第３及び第４固定部材によって、収納空間に配置した筒板体の筒状板に固定する。
これにより、袋体の袋底が損傷しても、収納空間に収納した工具は、筒板体の底板で保持されて、袋体から落下しない。
【考案の効果】
【０００８】
本考案によれば、袋体の袋底が損傷しても、袋体の収納空間に収納した工具の落下を防止できる。
【図面の簡単な説明】
【０００９】
【図１】工具袋を示す斜視図である。
【図２】工具袋を示す正面図である。
【図３】工具袋を示す背面図である。
【図４】工具袋を示す平面図（上面図）である。
【図５】工具袋を示す底面図（下面図）である。
【図６】図４のＡ−Ａ断面図である。
【図７】図４のＢ−Ｂ断面図である。
【図８】図６のＣ−Ｃ断面拡大図である。
【図９】図６のＤ−Ｄ断面拡大図である。
【図１０】図７のＥ−Ｅ断面拡大図である。
【図１１】図７のＦ−Ｆ断面拡大図である。
【図１２】図６のＧ部分拡大図である。
【図１３】図７のＨ部分拡大図である。
【考案を実施するための形態】
【００１０】
本考案に係る工具袋について、図１乃至図１３を参照して説明する。
【００１１】
図１乃至図１３において、工具袋Ｘ（リフトバッグ）は、袋体１、第１ベルト体２（第１ベルト）、第２ベルト体３（第２ベルト）、筒板体４、及び第１乃至第４の固定部材５，６，７，８（複数の固定部材）を備える。
【００１２】
袋体１は、図１乃至図７に示すように、筒状の袋本体１１、袋底１２（袋底部）及び複数（４つ）の突起１３を有する。
【００１３】
袋本体１１は、図１乃至図７に示すように、例えば、円筒状（筒状）に形成される。袋本体１１は、合成繊維（ポリエステル繊維等）の織布で円筒状に形成される。袋本体１１は、袋筒中心線aの方向Ａに開口して、一方の袋開口１１Ａ（一方の袋筒端）及び他方の袋開口１１Ｂ（他方の袋筒端）を有する。
【００１４】
袋底１２は、図５乃至図７、図１２及び図１３に示すように、袋本体１１の一方の袋開口１１Ａ（一方の袋筒端）を閉塞する。袋底１２は、袋本体１１と同様に、合成繊維（ポリエステル繊維等）の織布で円形状に形成される。袋底１２は、図１２に示すように、布裏面１２Ａで袋本体１１の一方の袋開口１１Ａを閉塞して、袋本体１１に固定される。袋底１２は、例えば、縫製によって袋本体１１に縫着（固定）される。
これにより、袋体１は、袋本体１１及び袋底１２とで袋本体１１の内部に収納空間Ｒを形成する。収納空間Ｒは、袋本体１１の他方の袋開口１１Ｂ（他方の袋筒端）に開口する。
【００１５】
各突起１３は、図５乃至図７、図１２及び図１３に示すように、袋底１２の布表面１２Ｂに配置されて、袋底１２に固定される。各突起１３は、図５に示すように、袋底１２（袋本体１１）の周方向に等間隔（角度９０度の間隔）を隔てて同心円上に配置される。各突起１３は、袋本体１１の袋筒中心線ａの方向Ａにおいて、袋底１２の布表面１２Ｂから同一の突出量を有して突出して、袋底１２に固定される。
【００１６】
第１ベルト体２は、図１乃至図１１に示すように、長尺の帯状に形成される。第１ベルト体２は、袋本体１１と同様に、合成繊維（ポリエステル繊維等）の織布で長尺の帯状に形成される。第１ベルト体２は、袋本体１１の外周面１１Ｃに配置される。
【００１７】
第１ベルト体２は、図１乃至図９に示すように、一方の第１ベルト端２ａ側の第１ベルト部１５（一方の第１ベルト部）、他方の第１ベルト端２ｂ側の第１ベルト部１６（他方の第１ベルト部）、及び第１中間ベルト部１７を有する。各第１ベルト端２ａ，２ｂ側の第１ベルト部１５，１６、及び第１中間ベルト部１７は、連続して長尺の帯状に形成される。第１中間ベルト部１７は、一方の第１ベルト端２ａ側の第１ベルト部１５、及び他方の第１ベルト端２ｂ側の第１ベルト部１６の間に配置される。
第１ベルト体２において、各第１ベルト端２ａ，２ｂは、図２及び図３に示すように、第１ベルト体２の帯長手方向Ｋの各端である。
【００１８】
一方の第１ベルト端２ａ側の第１ベルト部１５（以下、「一方の第１ベルト部１５」という）は、図１、図２、図６及び図１２に示すように、一方の第１ベルト端２ａ（一方のベルト端）を袋本体１１の他方の袋開口１１Ｂより袋底１２側（一方の袋開口１１Ａ側）に配置して、袋本体１１の他方の袋開口１１Ｂまで延在される。一方の第１ベルト部１５は、図１、図２、図５、図６及び図１２に示すように、例えば、一方の第１ベルト端２ａを袋底１２に当接する位置（一方の袋筒端の位置）に配置して、袋本体１１の袋中心線ａの方向Ａにおいて、袋底１２（一方の袋開口１１Ａ／一方の袋筒端）から他方の袋開口１１Ｂ（他方の袋筒端）まで延在される。
一方の第１ベルト部１５は、図１、図２、図６及び図８に示すように、袋本体１１の外周面１１Ｃに当接して袋本体１１に固定される。一方の第１ベルト部１５は、例えば、縫製によって袋本体１１に縫着（固定）される。
【００１９】
他方の第１ベルト端２ｂ側の第１ベルト部１６（以下、「他方の第１ベルト部１６」という）は、図５、図７及び図１３に示すように、他方の第１ベルト端２ｂを一方の第１ベルト端２ａに対し袋本体１１の周方向にベルト端間隔δ１を隔てて袋本体１１の他方の袋開口１１Ｂより袋底１２側（一方の袋開口１１Ａ側）に配置して、袋本体１１の他方の袋開口１１Ｂまで延在される。
他方の第１ベルト部１６は、他方の第１ベルト端２ｂを一方の第１ベルト端２ａに対し袋本体１１の周方向にベルト端間隔δ１を隔てて配置し、及び他方の第１ベルト端２ａを他方の袋開口１１Ｂより袋底１２側に配置して、袋本体１１の他方の袋開口１１Ｂまで延在される。ベルト端間隔δ１は、例えば、角度：略１８０度の間隔である。
他方の第１ベルト部１６は、図５、図７及び図１３に示すように、例えば、他方の第１ベルト端２ｂ（他方のベルト端）を袋底１２に当接する位置（一方の袋筒端の位置）に配置して、袋本体１１の袋中心線ａの方向Ａにおいて、袋底１２（一方の袋開口１１Ａ／一方の袋筒端）から他方の袋開口１１Ｂ（他方の袋筒端）まで延在される。
他方の第１ベルト部１６は、図３、図７及び図９に示すように、袋本体１１の外周面１１Ｃに当接して袋本体１１に固定される。他方の第１ベルト部１６は、例えば、縫製によって袋本体１１に縫着（固定）される。
【００２０】
第１中間ベルト部１７は、図１乃至図４、図６及び図７に示すように、袋本体１１の他方の袋開口１１Ｂの上方に配置されて、一方の第１ベルト部１５及び他方の第１ベルト部１６との間に掛け渡される。第１中間ベルト部１７は、一方の第１ベルト部１６から袋本体１１の他方の袋開口１１Ｂの上方（袋筒中心線ａの方向Ａの上方）に延在され、他方の袋開口１１Ｂを横切って（他方の袋開口１１Ａを跨いで）、他方の第１ベルト部１６に連続して配置される。
【００２１】
第２ベルト体３は、図１乃至図７、図１０及び図１１に示すように、長尺の帯状に形成される。第２ベルト体３は、合成繊維（ポリエステル繊維等）の織布で長尺の帯状に形成される。第２ベルト体３は、図５に示すように、第１ベルト体２に対し袋本体１１の周方向にベルト間隔δ２を隔てて、袋本体１１の外周面１１Ｃに配置される。
第２ベルト体３は、例えば、袋本体１１の周方向において、第１ベルト体２にベルト間隔δ２を隔てて第１ベルト体２に平行に配置される。第１及び第２ベルト体２，３は、袋本体１１の周方向において、第１及び第２ベルト体２，３の間にベルト間隔δ２を隔てて平行に配置される。第１及び第２ベルト体２，３は、袋本体１１の周方向において、各ベルト体２，３の間にベルト間隔δ２を隔てて、袋本体１１の外周面１１Ｃに配置される。ベルト間隔δ２は、例えば、角度７０度〜８０度の範囲の任意の角度の間隔である。
【００２２】
第２ベルト体３は、図１乃至図７、図１０及び図１１に示すように、一方の第２ベルト端３ａ側の第２ベルト部２１（一方の第２ベルト部）、他方の第２ベルト端３ｂ側の第２ベルト部２２（他方の第２ベルト部）、及び第２中間ベルト部２３を有する。各第２ベルト端３ａ，３ｂ側の第２ベルト部２１，２２、及び第２中間ベルト部２３は、連続して長尺の帯状に形成される。第２中間ベルト部２３は、一方の第２ベルト端３ａ側の第２ベルト部２１、及び他方の第２ベルト端３ｂ側の第２ベルト部２２の間に配置される。
第２ベルト体３において、各ベルト端３ａ，３ｂは、第２ベルト体３の長手方向の端である。
【００２３】
一方の第２ベルト端３a側の第２ベルト部２１（以下、「一方のベルト部２１」という）は、図１、図２、図６及び図１２に示すように、一方の第２ベルト端３a（一方のベルト端）を袋本体１１の他方の袋開口１１Ｂより袋底１２側に配置して、袋本体１１の他方の袋開口１１Ａまで延在される。一方の第２ベルト部２１は、図１、図２、図５、図６及び図１２に示すように、例えば、一方の第２ベルト端３ａを袋底１２に当接する位置（一方の袋筒端の位置）に配置して、袋本体１１の袋筒中心線ａの方向Ａにおいて、袋底１２（一方の袋開口１１Ａ／一方の袋筒端）から他方の袋開口１１Ｂ（他方の袋筒端）まで延在される。
一方の第２ベルト部２１は、図１、図２、図６及び図１０に示すように、袋本体１１の外周面１１Ｃに当接して袋本体１１に固定される。一方の第２ベルト部２１は、例えば、縫製によって袋本体１１に縫着（固定）される。
【００２４】
他方の第２ベルト端３ｂ側の第２ベルト部２２（以下、「他方の第２ベルト部２２」という）は、図５、図７及び図１３に示すように、他方の第２ベルト端３ｂを一方の第２ベルト端３ａに対し袋本体１１の周方向にベルト端間隔δ１を隔てて袋本体１１の他方の袋開口１１Ｂより袋底１２側（一方の袋開口１１Ａ側）に配置して、袋本体１１の他方の袋開口１１Ｂまで延在される。
他方の第２ベルト部２２は、他方の第２ベルト端３ｂを一方の第２ベルト端３ａに対し袋本体１１の周方向にベルト端間隔δ２を隔てて配置し、及び他方の第２ベルト端３ｂを他方の袋開口１１Ｂより袋底１２側に配置して、袋本体１１の他方の袋開口１１Ｂまで延在される。
他方の第２ベルト部２２は、図５、図７及び図１３に示すように、例えば、他方の第２ベルト端３ｂ（他方のベルト端）を袋底１２に当接する位置（一方の袋筒端の位置）に配置して、袋本体１１の袋筒中心線ａの方向Ａにおいて、袋底１２（一方の袋開口１１Ａ／一方の袋筒端）から他方の袋開口１１Ｂ（他方の袋筒端）まで延在される。
他方の第２ベルト部２２は、図３、図７及び図１１に示すように、袋本体１１の外周面１１Ｃに当接して袋本体１１に固定される。他方の第２ベルト部２２は、例えば、縫製によって袋本体１１に縫着（固定）される。
【００２５】
第２中間ベルト部２３は、図１乃至図４、図６及び図７に示すように、袋本体１１の他方の袋開口１１Ｂの上方に配置されて、一方の第２ベルト部２１及び他方の第２ベルト部２２との間に掛け渡される。第２中間ベルト部２３は、一方の第２ベルト部２１から袋本体１１の他方の袋開口１１Ｂの上方（袋筒中心線ａの方向Ａの上方）に延在されて、他方の袋開口１１Ｂを横切って（他方の袋開口１１Ｂを跨いで）、他方の第２ベルト部２２に連続して配置される。
【００２６】
筒板体４（板体）は、図４、図６、図７、図１２及び図１３に示すように、筒状板２６（筒状の側板）、及び底板２７を有する。
【００２７】
筒状板２６は、図６、図７、図１２及び図１３に示すように、例えば、袋本体１１の袋筒長さより短い筒状に形成される。筒状板２６は、袋本体１１の内直径（内周直径）より僅かに小さい外直径（外周直径）の円筒状に形成される。
【００２８】
底板２７は、図４、図６、図７、図１２及び図１３に示すように、筒状板２６の一方の板開口２６Ａ（一方の板筒端）を閉塞して、筒状板２６に固定される。底板２７は、例えば、円形状に形成される。
【００２９】
筒板体４は、図４、図６、図７、図１２及び図１３に示すように、筒状板２６及び底板２７を収納空間Ｒ（袋本体１１内）に挿入して配置される。筒板体４は、筒状板２６を袋本体１１と同心にして収納空間Ｒ（袋本体１１内）に挿入される。
筒板体４は、図４、図６及び図７に示すように、底板２７の他方の板開口２６Ｂを袋本体１１の他方の袋開口１１Ｂ側に向けて収納空間Ｒ（袋本体１１内）に挿入される。筒板体４は、図６乃至図１２に示すように、底板２７を袋体１の袋底１２に載置すると共に、筒状板２６の外周側面２６Ｃを袋本体１１の内周面１１Ｄに対峙（対向）して収納空間Ｒに配置される。筒板体４は、図６乃至図１３に示すように、底板２７を袋底１２に載置し、及び筒状板２６の外周側面２６Ｃを各第１ベルト部１５，１６及び各第２ベルト部２１，２２に対峙（対向）して収納空間Ｒ（袋本体１１内）に配置される。
筒板体４は、例えば、筒状板２６の外周側面２６Ｃを袋本体１１の内周面１１Ｄに当接して収納空間Ｒに配置される。
底板２７は、図４乃至図７、図１２及び図１３に示すように、複数（一対）の底固定部材（例えば、ネジカシメ）によって袋底１２に固定される。
【００３０】
第１乃至第４固定部材５，６，７，８は、図１乃至図３、及び図５乃至図１１に示すように、第１及び第２ベルト体２，３、及び袋本体１１を、収納空間Ｒに配置した筒状板２６（筒板体４）に固定する。
第１乃至第４固定部材５〜８は、カシメであって、例えば、ネジカシメによって第１及び第２ベルト体２，３及び袋本体１１を収納空間Ｒに配置した筒状板２６に固定する。
【００３１】
第１乃至第４固定部材５〜８は、図１乃至図３、及び図５乃至図１１に示すように、雄ネジ部材Ｍ及び雌ネジ部材Ｆを有して、ネジカシメを構成する。
雄ネジ部材Ｍは、図８乃至図１１に示すように、ネジ軸３１及び頭部３２を有する。頭部３２は、ネジ軸３１の一方のネジ軸端に固定される。
雌ネジ部材Ｆは、図８乃至図１１に示すように、ネジ筒部３３及び座板３４を有する。ネジ筒部３３は、ネジ穴３５を有する。ネジ穴３５は、ネジ筒部３３の筒中心線の方向において、ネジ筒部を貫通して形成される。座板３４は、ネジ筒部３３の一方の筒端に固定される。
【００３２】
第１固定部材５は、図１、図２、及び図５乃至図８に示すように、一方の第１ベルト部１５（一方の第１ベルト端２ａ側の第１ベルト部）、及び一方の第１ベルト部１５に当接する袋本体１１の部分を、収納空間Ｒ（袋本体１１内）に配置した筒状板２６（筒板体４）に固定する。
第１固定部材５は、図１、図２、図５、図６及び図１２に示すように、袋本体１１の袋筒中心線ａの方向Ａにおいて、袋底１２に隣接して配置される。第１固定部材５は、筒状板２６の他方の板開口２６Ｂ及び底板２７の間に配置されて、筒状板２６に対峙（対向）される。
【００３３】
第１固定部材５において、雌ネジ部材Ｆは、図８に示すように、ネジ筒部３３を一方の第１ベルト部１５（一方の第１ベルト端２ａ側の第１ベルト部）、一方の第１ベルト部１５に当接する袋本体１１の部分、及び収納空間Ｒに配置した筒状板２６を貫通して配置される。雌ネジ部材Ｆのネジ筒部３３は、袋本体１１の袋筒中心線ａの方向Ａと直交する方向において、袋体１の外側から一方の第１ベルト部１５、一方の第１ベルト部１５に当接する袋本体１１の部分及び筒状板２６の順に貫通して配置される。ネジ筒部３３において、ネジ穴３５は、図８に示すように、筒状板２６内に連通される。
第１固定部材５において、座板３４は、袋体１の外側から一方の第１ベルト部１５（第１ベルト体２）に当接される。
【００３４】
第１固定部材５において、雄ネジ部材Ｍは、図８に示すように、収納空間Ｒに配置した筒板体４内に配置される。雄ネジ部材Ｍは、図８に示すように、筒状板２６内（筒状板２６の内側）からネジ軸３１を筒状板２６内に連通したネジ筒部３３のネジ穴３５に螺着（螺入）して、雌ネジ部材Ｆに連結される。雄ネジ部材Ｍにおいて、ネジ軸３１は、筒状板２６内に連通するネジ穴３５に螺着され、頭部３２は、筒状板２６の内周側面２６Ｄ（内周面）に当接される。
これにより、第１固定部材５は、雌ネジ部材Ｆに対して雄ネジ部材Ｍを回転して、ネジ軸３１を筒状板２６内に連通するネジ穴３５に螺入することで、座板３４及び頭部３２とで一方の第１ベルト部１５（一方の第１ベルト端２ａ側の第１ベルト部）、一方の第１ベルト部１５に当接する袋本体１１の部分、及び筒状板２６を挟持及び締付けて、一方の第１ベルト部１５、及び一方の第１ベルト部１５に当接する袋本体１１の部分を、筒状板２６（筒板体４）に固定する。
【００３５】
第２固定部材６は、図３、図５、図７及び図９に示すように、他方の第１ベルト部１６（他方の第１ベルト端２ｂ側の第１ベルト部）、及び他方の第１ベルト部１６に当接する袋本体１１の部分を、収納空間Ｒ（袋本体１１内）に配置した筒状板２６（筒板体４）に固定する。
第２固定部材６は、図３、図５、図７及び図１３に示すように、袋本体１１の袋筒中心線ａの方向Ａにおいて、袋底１２に隣接して配置される。第２固定部材６は、筒状板２６の他方の板開口２６Ｂ及び底板２７の間に配置されて、筒状板２６に対峙（対向）される。
【００３６】
第２固定部材６において、雌ネジ部材Ｆは、図９に示すように、ネジ筒部３３を他方の第１ベルト部１６（他方の第１ベルト端２ｂ側の第１ベルト部）、他方の第１ベルト部１６に当接する袋本体１１の部分、及び収納空間Ｒに配置した筒状板２６を貫通して配置される。雌ネジ部材Ｆのネジ筒部３３は、袋本体１１の袋筒中心線ａの方向Ａと直交する方向において、袋体１の外側から他方の第１ベルト部１６、他方の第１ベルト部１６に当接する袋本体１１の部分及び筒状板２６の順に貫通して配置される。ネジ筒部３３において、ネジ穴３５は、図９に示すように、筒状板２６内に連通される。
第２固定部材６において、座板３４は、袋体１の外側から他方の第１ベルト部１６（第１ベルト体２）に当接される。
【００３７】
第２固定部材６において、雄ネジ部材Ｍは、図９に示すように、収納空間Ｒに配置した筒板体４内に配置される。雄ネジ部材Ｍは、図９に示すように、筒状板２６内（筒状板２６の内側）からネジ軸３１を筒状板２６内に連通したネジ筒部３３のネジ穴３５に螺着（螺入）して、雌ネジ部材Ｆに連結される。雄ネジ部材Ｍにおいて、ネジ軸３１は、筒状板２６内に連通するネジ穴３５に螺着され、頭部３２は、筒状板２６の内周側面２６Ｄ（内周面）に当接される。
これにより、第２固定部材６は、雌ネジ部材Ｆに対して雄ネジ部材Ｍを回転して、ネジ軸３１を筒状板２６内に連通するネジ穴３５に螺入することで、座板３４及び頭部３２とで他方の第１ベルト部１６（他方の第１ベルト端２ｂ側の第１ベルト部）、他方の第１ベルト部１６に当接する袋本体１１の部分、及び筒状板２６を挟持及び締付けて、他方の第１ベルト部１６、及び他方の第１ベルト部１６に当接する袋本体１１の部分を、筒状板２６（筒板体４）に固定する。
【００３８】
第３固定部材７は、図１、図２、図５、図６及び図１０に示すように、一方の第２ベルト部２１（一方の第２ベルト端３ａ側の第２ベルト部）、及び一方の第２ベルト部２１に当接する袋本体１１の部分を、収納空間Ｒ（袋本体１１内）に配置した筒状板２６（筒板体４）に固定する。
第３固定部材７は、図１，図２、図５、図６及び図１２に示すように、袋本体１１の袋筒中心線ａの方向Ａにおいて、袋底１２に隣接して配置される。第３固定部材７は、筒状板２６の他方の板開口２６Ｂ及び底板２７の間に配置されて、筒状板２６に対峙（対向）される。
【００３９】
第３固定部材７において、雌ネジ部材Ｆは、図１０に示すように、ネジ筒部３３を一方の第２ベルト部２１（一方の第２ベルト端３ａ側の第２ベルト部）、一方の第２ベルト部２１に当接する袋本体１１の部分、及び収納空間Ｒに配置した筒状板２６を貫通して配置される。雌ネジ部材Ｆのネジ筒部３３は、袋本体１１の袋筒中心線ａの方向Ａと直交する方向において、袋体１の外側から一方の第２ベルト部２１、一方の第２ベルト部２１に当接する袋本体１１の部分及び筒状板２６の順に貫通して配置される。ネジ筒部３３において、ネジ穴３５は、図１０に示すように、筒状板２６内に連通される。
第３固定部材７において、座板３４は、袋体１の外側から一方の第２ベルト部２１（第１ベルト体２）に当接される。
【００４０】
第３固定部材７において、雄ネジ部材Ｍは、図１０に示すように、収納空間Ｒに配置した筒板体４内に配置される。雄ネジ部材Ｍは、図１０に示すように、筒状板２６内（筒状板２６の内側）からネジ軸３１を筒状板２６内に連通したネジ筒部３３のネジ穴３５に螺着（螺入）して、雌ネジ部材Ｆに連結される。雄ネジ部材Ｍにおいて、ネジ軸３１は、筒状板２６内に連通するネジ穴３５に螺着され、頭部３２は、筒状板２６の内周側面２６Ｄ（内周面）に当接される。
これにより、第３固定部材７は、雌ネジ部材Ｆに対して雄ネジ部材Ｍを回転して、ネジ軸３１を筒状板２６内に連通するネジ穴３５に螺入することで、座板３４及び頭部３２とで一方の第２ベルト部２１（一方の第２ベルト端３ａ側の第２ベルト部）、一方の第２ベルト部２１に当接する袋本体１１の部分、及び筒状板２６を挟持及び締付けて、一方の第２ベルト部２１、及び一方の第２ベルト部２１に当接する袋本体１１の部分を、筒状板２６（筒板体４）に固定する。
【００４１】
第４固定部材８は、図３、図５，図７及び図１１に示すように、他方の第２ベルト部２２（他方の第２ベルト端３ｂ側の第２ベルト部）、及び他方の第２ベルト部２２に当接する袋本体１１の部分を、収納空間Ｒ（袋本体１１内）に配置した筒状板２６（筒板体４）に固定する。
第４固定部材８は、図３、図５、図７及び図１３に示すように、袋本体１１の袋筒中心線ａの方向Ａにおいて、袋底１２に隣接して配置される。第４固定部材８は、筒状板２６の他方の板開口２６Ｂ及び底板２７の間に配置されて、筒状板２６に対峙（対向）される。
【００４２】
第４固定部材８において、雌ネジ部材Ｆは、図１１に示すように、ネジ筒部３３を他方の第２ベルト部２２（他方の第２ベルト端３ｂ側の第２ベルト部）、他方の第２ベルト部２２に当接する袋本体１１の部分、及び収納空間Ｒに配置した筒状板２６を貫通して配置される。雌ネジ部材Ｆのネジ筒部３３は、袋本体１１の袋筒中心線ａの方向Ａと直交する方向において、袋体１の外側から他方の第２ベルト部２２、他方の第２ベルト部２２に当接する袋本体１１の部分及び筒状板２６の順に貫通して配置される。ネジ筒部３３において、ネジ穴３５は、図１１に示すように、筒状板２６内に連通される。
第４固定部材８において、座板３４は、袋体１の外側から他方の第２ベルト部２２（第１ベルト体２）に当接される。
【００４３】
第４固定部材８において、雄ネジ部材Ｍは、図１１に示すように、収納空間Ｒに配置した筒板体４内に配置される。雄ネジ部材Ｍは、図１１に示すように、筒状板２６内（筒状板２６の内側）からネジ軸３１を筒状板２６内に連通したネジ筒部３３のネジ穴３５に螺着（螺入）して、雌ネジ部材Ｆに連結される。雄ネジ部材Ｍにおいて、ネジ軸３１は、筒状板２６内に連通するネジ穴３５に螺着され、頭部３２は、筒状板２６の内周側面２６Ｄ（内周面）に当接される。
これにより、第４固定部材８は、雌ネジ部材Ｆに対して雄ネジ部材Ｍを回転して、ネジ軸３１を筒状板２６内に連通するネジ穴３５に螺入することで、座板３４及び頭部３２とで他方の第２ベルト部２２（他方の第２ベルト端３ｂ側の第２ベルト部）、他方の第２ベルト部２２に当接する袋本体１１の部分、及び筒状板２６を挟持及び締付けて、他方の第２ベルト部２２、及び他方の第２ベルト部２２に当接する袋本体１１の部分を、筒状板２６（筒板体４）に固定する。
【００４４】
工具袋Ｘは、各第１ベルト部１５，１６、及び各第１ベルト部１５，１６に当接する袋本体１１の部分を、第１及び第２固定部材５，６（ネジカシメ）によって、収納空間Ｒに配置した筒板体４の筒状板２６に固定し、各第２ベルト部２１，２２、及び各第２ベルト部２１，２２に当接する袋本体１１の部分を、第３及び第４固定部材によって、収納空間Ｒに配置した筒板体４の筒状板２６に固定する。
収納空間Ｒに配置した筒板体４（筒状板２６及び底板２７）は、袋本体１１、第１及び第２ベルト体２，３（各第１ベルト部１５，１６及び各第２ベルト部２１，２２）にて保持される。
これにより、工具袋Ｘでは、袋体１の袋底１２が損傷しても、袋体１の収納空間Ｒに収納した工具を筒板体４の底板２７で保持でき、袋体１の収納空間Ｒに収納した工具の落下を防止できる。
【００４５】
工具袋Ｘにおいて、第１乃至第４固定部材５〜８は、ネジカシメに限定されず、各第１ベルト部１５，１６、各第２ベルト部２１，２２及び袋本体１１を収納空間Ｒに配置した筒状板２６に固定できる部材、又は構造であれば良い。
【００４６】
工具袋Ｘにおいて、袋本体１１及び筒板体４は、円筒状に限定されず、四角形、楕円形等の筒状に形成しても良い。袋本体１１及び筒板体４は、同一の四角形、楕円形等の筒状に形成する。
【００４７】
工具袋Ｘにおいて、第１及び第２ベルト体２，３は、袋本体１１の他方の袋開口１１Ｂの上方で第１及び第２中間ベルト部１７，２３を交差して袋本体１１の外周面１１Ｃに配置しても良い。第１中間ベルト部１７は、一方の第１ベルト部１５から袋本体１１の袋開口１１Ｂの上方に延在されて、他方の袋開口１１Ｂを横切って、他方の第１ベルト部１６に連続して配置され、第２中間ベルト部２３は、一方の第２ベルト部２１から袋本体１１の袋開口１１Ｂの上方に延在されて、第１中間ベルト部１７に交差して他方の袋開口１１Ｂを横切って、他方の第２ベルト部２２に連続して配置される。
【産業上の利用可能性】
【００４８】
本考案は、高所作業で使用する工具袋に最適である。
【符号の説明】
【００４９】
Ｘ  工具袋
１  袋体
２  第１ベルト体（第１ベルト）
３  第２ベルト体（第２ベルト）
４  筒板体（板体）
５  第１固定部材（第１の固定部材）
６  第２固定部材（第２の固定部材）
７  第３固定部材（第３の固定部材）
８  第４固定部材（第４の固定部材）
１１  袋本体
１１Ａ  一方の袋開口（一方の袋筒端）
１１Ｂ  他方の袋開口（他方の袋筒端）
１１Ｃ  外周面
１２  袋底（袋底部）
１５  一方の第１ベルト部（一方の第１ベルト端側の第１ベルト部）
１６  他方の第１ベルト部（他方の第１ベルト端側の第１ベルト部）
１７  第１中間ベルト部
２１  一方の第２ベルト部（一方の第２ベルト端側の第２ベルト部）
２２  他方の第２ベルト部（他方の第２ベルト端側の第２ベルト部）
２３  第２中間ベルト部
２６  筒状板
２６Ａ  一方の板開口（一方の板筒端）
２６Ｂ  他方の板開口（他方の板筒端）
２６Ｃ  外周側面
２７  底板
Ｒ  収納空間
【図１】
0003234165.tif 000003
【図２】
0003234165.tif 000004
【図３】
0003234165.tif 000005
【図４】
0003234165.tif 000006
【図５】
0003234165.tif 000007
【図６】
0003234165.tif 000008
【図７】
0003234165.tif 000009
【図８】
0003234165.tif 000010
【図９】
0003234165.tif 000011
【図１０】
0003234165.tif 000012
【図１１】
0003234165.tif 000013
【図１２】
0003234165.tif 000014
【図１３】
0003234165.tif 000015